(57)【要約】電気接続箱１は、コネクタ付き基板１０と、コネクタ付き基板１０を内部に収容するシールドケース５０とを備える。コネクタ付き基板１０は、回路基板２０と、回路基板２０に固定されて相手コネクタＣと嵌合されるコネクタ３０と、コネクタ３０に組み付けられたアタッチメント４０とを備える。シールドケース５０が、回路基板２０を囲むと共に、コネクタ３０を外部に臨ませるためのコネクタ口６７を有する上短壁部６３Ｂおよび下短壁部５３Ｂを備えている。アタッチメント４０が、コネクタ３０において相手コネクタＣを向く嵌合面３３ＤＦの周囲を覆う防水部４１を備えており、防水部４１が、コネクタ３０または相手コネクタＣの周囲を覆う防水壁４４を備えている。
2019244511.tif 000002
【特許請求の範囲】
【請求項１】
回路基板と、前記回路基板に固定されて相手コネクタと嵌合されるコネクタとを備えるコネクタ付き基板と、前記コネクタ付き基板に組み付けられた防水部材と、前記コネクタ付き基板を内部に収容するケースとを備え、
前記ケースが、前記回路基板を囲むと共に、前記コネクタを外部に臨ませるための開口部を有するケース側壁を備えており、
前記防水部材が、前記コネクタにおいて前記相手コネクタを向く嵌合面の周囲を覆う防水部を備えており、前記防水部が、前記コネクタまたは前記相手コネクタの周囲を覆う防水壁を備えている、電気接続箱。
【請求項２】
前記防水壁が、前記開口部から前記ケースの外部に突出している、請求項１に記載の電気接続箱。
【請求項３】
前記防水壁が、前記コネクタまたは前記コネクタと嵌合される相手コネクタの上方を覆う防水上壁と、前記防水上壁から下方に延び、前記コネクタまたは前記相手コネクタの側方を覆う防水側壁とを備えている、請求項１または請求項２に記載の電気接続箱。
【請求項４】
前記防水部が、前記コネクタまたは前記相手コネクタの下方に、前記防水壁が配置されない非遮蔽部分を有している、請求項１から請求項３のいずれか１項に記載の電気接続箱。
【請求項５】
前記コネクタが、前記回路基板の上面に固定されており、
前記防水部材が、前記防水部から前記回路基板よりも下方に延び、前記ケース側壁に沿って配置される傾き防止壁を備えている、請求項１から請求項４のいずれか１項に記載の電気接続箱。
【請求項６】
前記防水部材が、前記傾き防止壁に対して隙間を空けて配置される挟み壁を備えており、前記ケース側壁が、前記隙間に配置されている、請求項５に記載の電気接続箱。
【請求項７】
前記防水部材が、前記防水部の外面に、前記ケース側壁における前記開口部の開口縁の周縁部が嵌まり込む溝を有している、請求項１から請求項６のいずれか１項に記載の電気接続箱。
【請求項８】
前記溝のうち、前記防水部の上面に配されている部分が、前記上面から内側に向かって延びる一対の溝側面と、前記溝側面同士をつなぐ溝底面とによって区画された上溝部であり、
前記溝底面が、前記上面の両端間の中央位置から両端のそれぞれに向かうにつれて下るように傾斜する山形をなしている、請求項７に記載の電気接続箱。
【請求項９】
前記溝のうち、前記防水部の側面に配されている部分が側溝部となっており、前記側溝部の下端が、前記回路基板よりも下方に配置されている、請求項７または請求項８に記載の電気接続箱。
【請求項１０】
前記防水壁が、前記相手コネクタが挿入される挿入口を有しており、
前記防水部材が、前記挿入口の開口縁から外側に向かって立ち上がる立設壁を備えている、請求項１から請求項９のいずれか１項に記載の電気接続箱。
【請求項１１】
前記コネクタ付き基板が、前記回路基板に組み付けられるフレームを備えており、
前記防水部材が係止部を備えており、
前記フレームが、前記係止部に係合する係止受部を備えている、請求項１から請求項１０のいずれか１項に記載の電気接続箱。
【請求項１２】
前記コネクタが、相手コネクタに備えられるロック部に係合可能なロック受部を備えており、
前記防水壁が、前記コネクタに対して前記ロック受部と同じ側に、前記コネクタが前記相手コネクタに嵌合した状態で前記ロック部の少なくとも一部を外部に露出させる凹部を備えている、請求項１から請求項１１のいずれか１項に記載の電気接続箱。
【発明の詳細な説明】
【技術分野】
【０００１】
本明細書によって開示される技術は、電気接続箱に関する。
【背景技術】
【０００２】
車両に搭載され、各種車載電装品への電力の供給及び供給電力の制御を行う電気接続箱は、回路基板と、回路基板に接続されたコネクタと、回路基板を内部に収容し、コネクタを外部に臨ませる開口を有するケースとを備えている（特許文献１参照）。このような電気接続箱のうち、車室内に設置して使用される電気接続箱は、エンジンルームに配される電気接続箱のような高度な防水構造を必要とせず、コップ一杯程度の水がかかっても内部に浸水しにくい程度の防水構造を有していれば足りる。
【先行技術文献】
【特許文献】
【０００３】
【特許文献１】特開２０１７−７９５４７号公報
【発明の概要】
【発明が解決しようとする課題】
【０００４】
上記のように、簡易な防水構造で足りる用途に対して、防水構造を有する専用のコネクタを開発することはコスト高であり、安価かつ簡易な防水構造が求められていた。
【課題を解決するための手段】
【０００５】
本明細書によって開示される電気接続箱は、回路基板と、前記回路基板に固定されて相手コネクタと嵌合されるコネクタとを備えるコネクタ付き基板と、前記コネクタ付き基板に組み付けられた防水部材と、前記コネクタ付き基板を内部に収容するケースとを備え、前記ケースが、前記回路基板を囲むと共に、前記コネクタを外部に臨ませるための開口部を有するケース側壁を備えており、前記防水部材が、前記コネクタにおいて前記相手コネクタを向く嵌合面の周囲を覆う防水部を備えており、前記防水部が、前記コネクタまたは前記相手コネクタの周囲を覆う防水壁を備えている。【０００６】
上記の構成によれば、別体に形成された防水部材をコネクタに取り付けているので、防水構造を有する専用のコネクタを開発する必要がなく、安価かつ簡易に防水することができる。【０００７】
上記の構成において、前記防水壁が、前記開口部から前記ケースの外部に突出していても構わない。【０００８】
このような構成によれば、水がケースおよびコネクタの内部に進入することを確実に回避することができる。【０００９】
上記の構成において、前記防水壁が、前記コネクタまたは前記コネクタと嵌合される相手コネクタの上方を覆う防水上壁と、前記防水上壁から下方に延び、前記コネクタまたは前記相手コネクタの側方を覆う防水側壁とを備えていても構わない。【００１０】
このような構成によれば、少なくとも、防水壁が防水上壁と防水側壁とを備えていることにより、上方や側方からの水を防ぐことができる。【００１１】
上記の構成において、前記防水部が、前記コネクタまたは前記相手コネクタの下方に、前記防水壁が配置されない非遮蔽部分を有していても構わない。【００１２】
このような構成によれば、非遮蔽部分が、相手コネクタのコネクタに対する嵌合操作の際の手指の逃がしとなるため、嵌合操作を容易に行うことができる。このような構成は、例えば電気接続箱が車両の車室内に設置して使用される場合のように、下方から跳ね上げられる水に対応する必要がなく、上方や側方からの水を防ぐことができればよい場合に好適である。【００１３】
上記の構成において、前記コネクタが、前記回路基板の上面に固定されており、前記防水部材が、前記防水部から前記回路基板よりも下方に延び、前記ケース側壁に沿って配置される傾き防止壁を備えていても構わない。【００１４】
このような構成によれば、防水部の重みで防水部材がコネクタごと傾き、コネクタと回路基板との固定部分が剥がれてしまうことを回避できる。【００１５】
上記の構成において、前記防水部材が、前記傾き防止壁に対して隙間を空けて配置される挟み壁を備えており、前記ケース側壁が、前記隙間に配置されていても構わない。【００１６】
このような構成によれば、傾き防止壁と挟み壁とによって防水部材の傾きが規制されるから、防水部材がコネクタごと傾き、コネクタが回路基板から剥がれてしまうことが、確実に回避される。【００１７】
上記の構成において、前記防水部材が、前記防水部の外面に、前記ケース側壁における前記開口部の開口縁の周縁部が嵌まり込む溝を有していても構わない。【００１８】
このような構成によれば、ケース側壁が溝に噛み込む構造とすることにより、水がいっそうケースの内部に浸入しにくくなる。【００１９】
上記の構成において、前記溝のうち、前記防水部の上面に配されている部分が、前記上面から内側に向かって延びる一対の溝側面と、前記溝側面同士をつなぐ溝底面とによって区画された上溝部であり、前記溝底面が、前記上面の両端間の中央位置から両端のそれぞれに向かうにつれて下るように傾斜する山形をなしていても構わない。【００２０】
このような構成によれば、上溝部の内部に水が侵入したとしても、水が溝底面の傾斜に沿って流れ、両端から排出されるので、ケースの内部に水が侵入することを回避できる。【００２１】
上記の構成において、前記溝において、前記防水部の前記外面のうち側面に配されている部分が側溝部となっており、前記側溝部の下端が、前記回路基板よりも下方に配置されていても構わない。【００２２】
このような構成によれば、溝に侵入した水が、回路基板上に流れ込むことなく、確実に下方に排出される。【００２３】
上記の構成において、前記防水壁が、前記相手コネクタが挿入される挿入口を有しており、前記防水部材が、前記挿入口の開口縁から外側に向かって立ち上がる立設壁を備えていても構わない。【００２４】
このような構成によれば、防水壁に付着した水が、防水壁の内部に進入して、コネクタと相手コネクタとの嵌合部分から内部に入り込むことを回避できる。【００２５】
上記の構成において、前記コネクタ付き基板が、前記回路基板に組み付けられるフレームを備えており、前記防水部材が係止部を備えており、前記フレームが、前記係止部に係合する係止受部を備えていても構わない。【００２６】
このような構成によれば、防水部材がフレームに係合しているので、防水部材がコネクタと係合している場合と比較して、防水部材が組み付けられることによるコネクタへの応力が軽減され、コネクタと回路基板との接合部分が剥がれてしまうことが回避される。【００２７】
上記の構成において、前記コネクタが、相手コネクタに備えられるロック部に係合可能なロック受部を備えており、前記防水壁が、前記コネクタに対して前記ロック受部と同じ側に、前記コネクタが前記相手コネクタに嵌合した状態で前記ロック部の少なくとも一部を外部に露出させる凹部を備えていても構わない。【００２８】
このような構成によれば、コネクタと相手コネクタとが嵌合された状態では、ロック部の少なくとも一部が、凹部から外部に露出している。このため、コネクタから相手コネクタを離脱させる際には、作業者が凹部の内部に手指を入れ、ロック部のロック受部に対する係合を解除する操作を容易に行うことができる。
【発明の効果】
【００２９】
本明細書によって開示される電気接続箱によれば、安価かつ簡易に防水を行うことができる。
【図面の簡単な説明】
【００３０】
【図１】実施形態１の電気接続箱の斜視図
【図２】実施形態１の電気接続箱の分解斜視図
【図３】実施形態１のコネクタ付き基板の分解斜視図
【図４】実施形態１におけるコネクタおよび回路基板の部分拡大斜視図
【図５】図１のＡ−Ａ線断面図
【図６】図１のＢ−Ｂ線断面図
【図７】図１のＣ−Ｃ線断面図
【図８】図７の領域Ｒ内の拡大図
【図９】実施形態１のアタッチメントの斜視図
【図１０】実施形態１のアタッチメントの上面図
【図１１】実施形態１のアタッチメントの正面図
【図１２】実施形態１のアタッチメントの側面図
【図１３】変形例１の電気接続箱の斜視図
【図１４】変形例１の電気接続箱の分解斜視図
【図１５】変形例２の電気接続箱の斜視図
【図１６】変形例２の電気接続箱の分解斜視図
【図１７】実施形態２の電気接続箱の斜視図
【図１８】実施形態２の電気接続箱の分解斜視図
【図１９】実施形態２のアタッチメントの斜視図
【図２０】実施形態２のアタッチメントを図１９とは異なる方向から見た斜視図
【図２１】実施形態２のアタッチメントの上面図
【図２２】実施形態２のアタッチメントの側面図
【図２３】実施形態２の下ケースの斜視図
【図２４】実施形態２の下ケースの正面図
【図２５】実施形態２の電気接続箱の正面図
【図２６】実施形態２の電気接続箱を図２５のＡ−Ａ線で切断して示す部分拡大断面図
【図２７】実施形態２の電気接続箱を図２６のＢ−Ｂ線で切断して示す部分拡大断面図
【図２８】コネクタに相手コネクタが嵌合された実施形態２の電気接続箱を、図２５のＡ−Ａ線と同一位置で切断して示す部分拡大断面図
【発明を実施するための形態】
【００３１】
＜実施形態１＞
実施形態１を、図１から図１２を参照しつつ説明する。本実施形態の電気接続箱１は、車両の電源から各種車載電装品への電力の供給、及び供給電力の制御を行う電子制御ユニット（ＥＣＵ）であって、車室内に設置して使用される。この電気接続箱１は、コネクタ付き基板１０と、コネクタ付き基板１０に組み付けられるアタッチメント４０（防水部材に該当）と、コネクタ付き基板１０を内部に収容するシールドケース５０（ケースに該当）とを備えている。
【００３２】
コネクタ付き基板１０は、図３に示すように、回路基板２０と、この回路基板２０に固定されるコネクタ３０とを備える。
【００３３】
回路基板２０は、絶縁材料からなる長方形の絶縁板の上面（実装面２１）に、プリント配線技術により導電路（図示せず）が形成されるとともに、電子部品（図示せず）が実装された周知の構成の部材である。
【００３４】
コネクタ３０は、コネクタハウジング３１と、このコネクタハウジング３１を回路基板２０に固定するための２つの固定金具３５と、コネクタハウジング３１に組み付けられて回路基板２０上の導電路と接続される複数の端子金具３６とを備えている。
【００３５】
コネクタハウジング３１は、合成樹脂製であって、図５および図７に示すように、端子保持壁３２と、この端子保持壁３２から連なるフード部３３とを備える。
【００３６】
端子保持壁３２は、図５および図７に示すように、端子金具３６を保持する厚みのある板状の部分である。フード部３３は、図４、図５および図７に示すように、端子保持壁３２から延びる角筒状の部分であって、回路基板２０に沿って配置されるフード底壁３３Ａと、このフード底壁３３Ａと平行なフード天壁３３Ｂと、フード底壁３３Ａおよびフード天壁３３Ｂに対して垂直に配置される２つのフード側壁３３Ｃとで構成されており、端子保持壁３２とは反対側に開口部（嵌合口３３Ｄ）を有している。端子保持壁３２とフード部３３とで囲まれるコネクタハウジング３１の内部空間には、図５および図７に示すように、相手コネクタＣを受け入れ可能となっている。フード部３３の嵌合口３３Ｄ側の端面は、相手コネクタＣとの嵌合の際に、相手コネクタＣを向く嵌合面３３ＤＦとなっている。
【００３７】
２つのフード側壁３３Ｃのそれぞれは、図４および図８に示すように、装着凹部３４を有している。装着凹部３４は、フード側壁３３Ｃの外面から内側に向かって延び、互いに対向して配される一対の側面３４Ｂと、一対の側面３４Ｂ間を繋ぐ奥面３４Ａとで区画される凹部である。
【００３８】
２つの固定金具３５のそれぞれは、金属板をプレス加工して形成された部材であり、図４に示すように、略矩形の本体部３５Ａと、本体部３５Ａの一辺から垂直に延びる板片状の取付片３５Ｂとを備えて、全体としてＬ字状をなしている。本体部３５Ａの２つの側縁（取付片３５Ｂと垂直な２辺）のそれぞれには、詳細には図示しないが、複数の係止片が配置されており、一対の側面３４Ｂのそれぞれには、これら複数の係止片が係合する係合受部が配置されている。
【００３９】
一方の固定金具３５は、一方のフード側壁３３Ｃに配された装着凹部３４に収容され、他方の固定金具３５は、他方のフード側壁３３Ｃに配された装着凹部３４に収容されている。各固定金具３５は、図４に示すように、本体部３５Ａが奥面３４Ａに沿い、取付片３５Ｂが回路基板２０に沿うように配され、係止片が係合受部に係合することで、位置決め状態で保持されている。
【００４０】
複数の端子金具３６のそれぞれは、金属製の細長い板材が屈曲された部材であって、図５および図７に示すように、一端部が、端子保持壁３２を貫通するタブ部３６Ａとなっており、他端部が、回路基板２０上の導電路に対しリフローはんだ付けにより電気的に接続される基板接続部３６Ｂとなっている。
【００４１】
コネクタ３０は、図４および図５に示すように、フード底壁３３Ａが回路基板２０と対向する向きで、実装面２１上に載置されており、取付片３５Ｂが回路基板２０に対しリフローはんだ付けされることで、回路基板２０に固定されている。コネクタ３０が回路基板２０に固定された状態では、フード部３３において嵌合口３３Ｄに隣接する一部が、回路基板２０の一対の短辺のうち一方の短辺から外側に突出されている。
【００４２】
アタッチメント４０は、コネクタ３０に組み付けられる防水部材であって、図９に示すように、コネクタ保持壁４２と防水壁４４とを備える防水部４１と、傾き防止壁４７と、第１係止部４８と、２つの第２係止部４９とを備えている。
【００４３】
コネクタ保持壁４２は、厚みのある板状の部分であって、図５、図７、図９および図１１に示すように、板厚方向に貫通し、コネクタ３０のフード部３３を内部に挿通可能な貫通孔（コネクタ保持孔４３）を有している。
【００４４】
防水壁４４は、図９および図１１に示すように、コネクタ保持壁４２の周縁から延びる角筒状の部分であって、防水上壁４４Ａと、この防水上壁４４Ａと平行な防水下壁４４Ｂと、防水上壁４４Ａおよび防水下壁４４Ｂに対して垂直に配置される２つの防水側壁４４Ｃとで構成されており、一端に相手コネクタＣを挿入可能な開口部（挿入口４４Ｄ）を有している。防水下壁４４Ｂは、挿入口４４Ｄの開口縁からコネクタ保持壁４２に向かって凹む逃がし凹部４５（非遮蔽部分に該当）を有している。この逃がし凹部４５は、コネクタ３０に相手コネクタＣを嵌合させる際に、作業者の手指を逃がすための凹部である。
【００４５】
防水部４１は、図５、図７および図９に示すように、防水壁４４の外周面のうち上面（防水上面４１Ａ）および一対の側面（防水側面４１Ｂ）に、周方向に沿って延びる嵌合溝４６を有している。この嵌合溝４６は、図１０および図１２に示すように、防水部４１の外周面から内側に向かって延びる一対の溝側面４６Ｓと、溝側面４６Ｓ同士をつなぐ溝底面４６Ｕとによって区画された溝である。嵌合溝４６のうち、防水上面４１Ａに配置された部分は上溝部４６Ａであり、２つの防水側面４１Ｂのそれぞれに配置された部分は側溝部４６Ｂである。上溝部４６Ａの溝底面４６Ｕは、図６に示すように、両端間（２つの防水側面４１Ｂ間）の中央位置が最も高くなっており、中央位置から２つの防水側面４１Ｂのそれぞれに向かうにつれて下るように傾斜している。各側溝部４６Ｂの下端は、図１２に示すように、各防水側面４１Ｂの下端（下面との角部）に至っている。
【００４６】
傾き防止壁４７は、図９および図１１に示すように、コネクタ保持壁４２から下方に向かって延びる壁であって、コネクタ保持壁４２の下面において両端付近の一部分を除くほぼ全幅にわたって配置されている。
【００４７】
第１係止部４８は、図９および図１１に示すように、コネクタ保持壁４２から、防水壁４４と反対側に突出する、幅広の板状の部分であって、防水上壁４４Ａと平行に配置されている。第１係止部４８の先端部は、図９および図１０に示すように、２本のスリットＳＬ１によって３つに分割されており、そのうち真ん中の分割部分は、上下方向に撓み可能な第１撓み片４８Ａとなっている。第１撓み片４８Ａの先端には、図１２に示すように、下方に突出し、端子保持壁３２に係止される第１係止爪４８Ｂが配置されている。
【００４８】
２つの第２係止部４９のそれぞれは、図１０に示すように、コネクタ保持壁４２から、防水壁４４と反対側に突出する棒状の第２撓み片４９Ａと、第２撓み片４９Ａの先端から突出し、装着凹部３４の側面３４Ｂに係止する第２係止爪４９Ｂとを備えている。
【００４９】
シールドケース５０は、金属製であって、図１に示すように、回路基板２０を内部に収容する下ケース５１と、下ケース５１に組み付けられる上ケース６１とにより構成されている。
【００５０】
下ケース５１は、ダイキャストにより製造され、上側に開口するトレイ状の部材であって、図２および図５に示すように、長方形の板状のケース底壁５２と、ケース底壁５２の周縁から上方に立ち上がる下周壁部５３と、下周壁部５３の上端縁に設けられる基板保持部５４と、下周壁部５３から突出する一対のフランジ部５６および複数の台座部５７を備えている。
【００５１】
下周壁部５３は、図２に示すように、ケース底壁５２の一対の長辺から立ち上がる一対の下長壁部５３Ａと、ケース底壁５２の一対の短辺から上方に立ち上がる一対の下短壁部５３Ｂ、５３Ｃとで構成されている。
【００５２】
基板保持部５４は、図２に示すように、下周壁部５３の上縁から外側に延出され、さらにその延出端が上側に延出された形状を有しており、内側に、回路基板２０を支持する上向きの段差面５４Ａを有する段差部を備えている。基板保持部５４は、一方の下短壁部５３Ｂ（ケース側壁に該当）の中央位置（後述するコネクタ口６７が配置される位置）を除くほぼ全周にわたって設けられている。また、下ケース５１の内部において四隅には、図２に示すように、ねじ穴を有し、回路基板２０を固定するためのねじ受け部５５が配置されている。
【００５３】
一対のフランジ部５６のそれぞれは、図２に示すように、下周壁部５３から外側に突出し、上ケース６１を支持する鍔状の部分であって、下長壁部５３Ａと、下長壁部５３Ａの両端の角部において、基板保持部５４の下方に、基板保持部５４に対して隙間を空けて配置されている。台座部５７は、図２に示すように、上ケース６１をねじ止めするためのねじＳｃがねじ付けられる部分であって、各下長壁部５３Ａにおいて、フランジ部５６の下方に２つずつが配置されている。各台座部５７は、下長壁部５３Ａから外側に突出する矩形の台座上の部分であり、ねじ穴５８を有している。
【００５４】
上ケース６１は、例えば絞り加工によって形成され、下ケース５１の開口部を塞ぐ部材であって、図２に示すように、ケース底壁５２よりも一回り大きな長方形の板状のケース天壁６２と、ケース天壁６２の周縁から下方に垂直に延びる上周壁部６３と、上周壁部６３から延びる複数の固定片６４とを備えている。
【００５５】
上周壁部６３は、ケース天壁６２の一対の長辺から延びる一対の上長壁部６３Ａと、ケース天壁６２の一対の短辺から延びる一対の上短壁部６３Ｂ、６３Ｃとで構成されている。この上周壁部６３は、基板保持部５４よりも一回り大きく、下周壁部５３のフランジ部５６よりも上側の部分と基板保持部５４とを内部に収容可能となっている。
【００５６】
一対の上短壁部６３Ｂ、６３Ｃのうち一方の上短壁部６３Ｂ（ケース側壁に該当）は、図２に示すように、切欠き部６６を有している。切欠き部６６は、上短壁部６３Ｂの下端縁から上方に切り欠かれたような形状を有しており、上短壁部６３Ｂの下端縁から上方に（ケース天壁６２に向かって）延びる一対の側縁６６Ｂと、一対の側縁６６Ｂ間を繋ぐ奥縁６６Ａとで区画される凹部である。下ケース５１と上ケース６１とが組み付けられた状態では、図６に示すように、切欠き部６６の切欠き縁（奥縁６６Ａと一対の側縁６６Ｂ）と、下ケース５１の上縁において基板保持部５４が配置されていない一部分とで区画された開口部が、コネクタ口６７を形成する。
【００５７】
複数の固定片６４のそれぞれは、図２に示すように、一対の上長壁部６３Ａのそれぞれの下端から延びる板片状の部分であり、ねじ挿通孔６５を有している。各固定片６４は、下ケース５１の各台座部５７と対応する位置に配置されている。
【００５８】
電気接続箱１を製造する手順の一例を以下に説明する。
【００５９】
まず、リフローはんだ付けにより、コネクタ３０を回路基板２０に固定する。回路基板２０の実装面２１においてはんだ付けが予定されている各部位に予めはんだＨを塗布する。続いて、コネクタ３０を、回路基板２０の実装面２１上に載置する。このとき、各端子金具３６の基板接続部３６ＢがはんだＨ上に載せられ、各固定金具３５の取付片３５Ｂも同じくはんだＨ上に載せられる。次に、コネクタ３０を載せた回路基板２０を図示しないリフロー炉内に走行させ、はんだＨを溶融させる。その後、はんだＨが冷却固化されると、各端子金具３６の基板接続部３６Ｂが対応する導電路に固着されて導通がとられるとともに、各固定金具３５の取付片３５Ｂが回路基板２０に対して固着される。これにより、コネクタ３０が回路基板２０に対して固定される（図３参照）。コネクタ３０が回路基板２０に対して固定された状態では、フード部３３の嵌合口３３Ｄに隣接する一部（図５の右端部）が、概ね下短壁部５３Ｂと上短壁部６３Ｂとの厚みを足した分だけ、回路基板２０の端縁から突出された形態となっている。このようにして、コネクタ３０が回路基板２０に固定され、コネクタ付き基板１０が得られる。
【００６０】
次に、コネクタ３０にアタッチメント４０を組み付ける。第１係止部４８をフード天壁３３Ｂに、２つの第２係止部４９のそれぞれを２つのフード側壁３３Ｃのそれぞれに沿わせるようにしながら、フード部３３の先端部をコネクタ保持孔４３に挿入する。第１係止爪４８Ｂがフード天壁３３Ｂに乗り上げることによって第１撓み片４８Ａが外側に撓み、第１係止爪４８Ｂがフード天壁３３Ｂを乗り越えると第１撓み片４８Ａが弾性復帰して、第１係止部４８が端子保持壁３２に係止される（図５参照）。同様に、２つの第２係止爪４９Ｂのそれぞれが、２つのフード側壁３３Ｃのそれぞれに乗り上げることによって各第２撓み片４９Ａが外側に撓み、各第２係止爪４９Ｂが装着凹部３４に入り込むと各第２撓み片４９Ａが弾性復帰して、各第２係止部４９がフード側壁３３Ｃに係止される（図７、図８参照）。これにより、アタッチメント４０がコネクタ３０に組み付けられる。
【００６１】
アタッチメント４０がコネクタ３０に組み付けられた状態では、図５に示すように、コネクタ３０において、内部への水の進入の入口となりうる嵌合口３３Ｄが開口している嵌合面３３ＤＦが、防水部４１におけるコネクタ保持孔４３の内部に位置している。言い換えると、コネクタ３０の嵌合面３３ＤＦの周囲が、防水部４１によって覆われている。これにより、水が嵌合口３３Ｄからコネクタ３０の内部に入り込むことを回避できるようになっている。
【００６２】
次に、コネクタ付き基板１０を下ケース５１に組み付ける。回路基板２０を段差面５４Ａ上に載置し、ねじ受け部５５に対してねじＳｃにより固定する。回路基板２０は、上面（実装面２１）が基板保持部５４の上端にほぼ揃うようにして収容される（図２参照）。回路基板２０は、基板保持部５４よりも一回り小さく、回路基板２０と基板保持部５４の内周面との間には、隙間がある。また、防水壁４４は、下短壁部５３Ｂにおいて基板保持部５４が配置されていない部分に配置されており、傾き防止壁４７が、下短壁部５３Ｂの外面に当接して配置されている（図５参照）。これにより、アタッチメント４０が、防水壁４４側が下がるように傾くことが回避され、コネクタ３０が、アタッチメント４０の重みによって回路基板２０から剥がれてしまうことが回避される。
【００６３】
次に、上ケース６１を下ケース５１に組み付ける。上ケース６１を、上周壁部６３がフランジ部５６上に載るようにして、下ケース５１に上方から被せ付ける（図１参照）。下周壁部５３の上端部（フランジ部５６より上の部分）と基板保持部５４とが、上周壁部６３の内部に収容される。また、上ケース６１において、切欠き部６６の切り欠き縁（奥縁６６Ａと一対の側縁６６Ｂ）の周辺部分が、嵌合溝４６の内部に嵌まり込む（図５、図７参照）。この状態で、複数の固定片６４のそれぞれを複数の台座部５７のそれぞれにねじＳｃにより固定する。固定片６４と台座部５７とは、回路基板２０よりも下方に位置しており（図６参照）、ねじ穴５８から水がシールドケース５０の内部に侵入したとしても、回路基板２０に付着することが避けられるようになっている。
【００６４】
下ケース５１と上ケース６１とが固定された状態では、奥縁６６Ａおよび一対の側縁６６Ｂと、下周壁部５３の上端縁とで規定される開口部が、コネクタ口６７となっており、このコネクタ口６７から、防水部４１が外方に突出するとともに、フード部３３が臨んでいる。コネクタ３０は、嵌合口３３Ｄの開口縁が、上短壁部６３Ｂと揃う位置か、またはそれよりも僅かに内側位置となるように配されている（図５、図７参照）。アタッチメント４０は、端子保持壁３２の一部と防水壁４４とが、コネクタ口６７からシールドケース５０の外側に（より具体的には、上短壁部６３Ｂよりも外側に）突出するように配されている（図５、図６および図７参照）。
【００６５】
フランジ部５６と基板保持部５４との間には、隙間があるため、水がフランジ部５６と上周壁部６３との間から内部に侵入したとしても、侵入した水はフランジ部５６と基板保持部５４との隙間を流れ、フランジ部５６の両端から下方へ零れ落ちる。これにより、侵入した水が基板保持部５４を乗り越えてシールドケース５０の内部に入り込むことが回避される（図２参照）。
【００６６】
コネクタ３０と嵌合される相手コネクタＣは、防水壁４４の内部に進入して、フード部３３の内部に嵌合される。防水壁４４が、相手コネクタＣの上方および両側方を覆っているため、上方や側方からの水がコネクタ３０と相手コネクタＣとの嵌合部分から内部に入り込むことを回避できる（図５、図７参照）。
【００６７】
以上のように本実施形態によれば、電気接続箱１は、コネクタ付き基板１０と、コネクタ付き基板１０に組み付けられるアタッチメント４０と、コネクタ付き基板１０を内部に収容するシールドケース５０とを備える。コネクタ付き基板１０は、回路基板２０と、回路基板２０に固定されて相手コネクタＣと嵌合されるコネクタ３０とを備える。シールドケース５０が、回路基板２０を囲むと共に、コネクタ３０を外部に臨ませるためのコネクタ口６７を有する上短壁部６３Ｂおよび下短壁部５３Ｂを備えている。アタッチメント４０が、コネクタ３０において相手コネクタＣを向く嵌合面３３ＤＦの周囲を覆う防水部４１を備えており、防水部４１が、コネクタ３０または相手コネクタＣの周囲を覆う防水壁４４を備えている。
【００６８】
上記の構成によれば、別体に形成されたアタッチメント４０をコネクタ付き基板１０に取り付けているので、防水構造を有する専用のコネクタを開発する必要がなく、安価かつ簡易に防水することができる。
【００６９】
また、防水壁４４が、コネクタ口６７からシールドケース５０の外部に突出している。このような構成によれば、水がシールドケース５０およびコネクタ３０の内部に進入することを確実に回避することができる。
【００７０】
また、防水壁４４が、コネクタ３０と嵌合される相手コネクタＣの上方を覆う防水上壁４４Ａと、防水上壁４４Ａから下方に延び、相手コネクタＣの側方を覆う防水側壁４４Ｃとを備えている。
【００７１】
このような構成によれば、上方や側方からの水を防ぐことができる。本実施形態では、電気接続箱１が車両の車室内に配置される電子制御ユニット（ＥＣＵ）であり、下方から跳ね上げられる水に対応する必要がなく、例えばこぼれた飲料や、車内に持ち込んだ傘から滴る雨水、車室内の結露による水滴などの、上方や側方からの水を防ぐことができればよいため、アタッチメント４０が防水上壁４４Ａと防水側壁４４Ｃとを備えていれば充分である。
【００７２】
また、防水部４１が、相手コネクタＣの下方に、防水壁４４が配置されない逃がし凹部４５を有している。このような構成によれば、逃がし凹部４５が、相手コネクタＣのコネクタ３０に対する嵌合操作の際の手指の逃がしとなるため、嵌合操作を容易に行うことができる。本実施形態の電気接続箱１においては、上記したように、上方や側方からの水を防ぐことができればよいため、このように、下方に逃がし凹部４５を設けて嵌合操作を行いやすくすることができる。
【００７３】
また、コネクタ３０が、回路基板２０の実装面２１に固定されており、アタッチメント４０が、防水部４１から回路基板２０よりも下方に延び、下短壁部５３Ｂに沿って配置される傾き防止壁４７を備えている。このような構成によれば、防水部４１の重みでアタッチメント４０がコネクタ３０ごと傾き、コネクタ３０と回路基板２０との固定部分が剥がれてしまうことを回避できる。このような構成は、コネクタ３０が回路基板２０にはんだ付けにより固定されている場合に好適である。
【００７４】
また、防水部４１の外面に、シールドケース５０におけるコネクタ口６７の開口縁、すなわち切欠き部６６の切欠き縁（奥縁６６Ａと一対の側縁６６Ｂ）の周縁部が嵌まり込む嵌合溝４６を有している。このような構成によれば、上ケース６１が嵌合溝４６に噛み込む構造とすることにより、水がいっそうシールドケース５０の内部に浸入しにくくなる。
【００７５】
嵌合溝４６のうち、防水部４１の上面（防水上面４１Ａ）に配されている部分が、防水上面４１Ａから内側に向かって延びる一対の溝側面４６Ｓと、溝側面４６Ｓ同士をつなぐ溝底面４６Ｕとによって区画された上溝部４６Ａであり、溝底面４６Ｕが、防水上面４１Ａの両端間の中央位置から両端のそれぞれに向かうにつれて下るように傾斜する山形をなしている。このような構成によれば、上溝部４６Ａの内部に水が侵入したとしても、水が、図６に矢印で示すように、溝底面４６Ｕの傾斜に沿って流れ、両端から排出されるので、シールドケース５０の内部に水が侵入することを回避できる。
【００７６】
嵌合溝４６のうち、防水部４１の側面（防水側面４１Ｂ）に配されている部分が側溝部４６Ｂとなっており、側溝部４６Ｂの下端が、回路基板２０よりも下方に配置されている。このような構成によれば、嵌合溝４６に侵入した水が、図６に矢印で示すように、回路基板２０上に流れ込むことなく、確実に下方に排出される。
【００７７】
＜変形例１＞
変形例１を、図１３から図１４を参照しつつ説明する。本変形例の電気接続箱１００は、シールドケース１３０における下ケース１３１の形状、および、コネクタ付き基板１１０が、回路基板２０に取り付けられたスペーサ１２０を備えている点で、実施形態１と異なる。本変形例において、実施形態１と同様の構成には同一の符号を付して説明を省略する。
【００７８】
下ケース１３１は、例えば絞り加工によって形成され、上側に開口するトレイ状の部材であって、図１４に示すように、長方形の板状のケース底壁１３２と、ケース底壁１３２の周縁から上方に立ち上がる下周壁部１３３とを備えている。
【００７９】
下周壁部１３３は、ケース底壁１３２の一対の長辺から立ち上がる一対の下長壁部１３３Ａと、ケース底壁１３２の一対の短辺から立ち上がる一対の下短壁部１３３Ｂとで構成されている。一対の下長壁部１３３Ａのそれぞれは、上ケース６１の複数の固定片６４のそれぞれに対応する位置に、ねじ挿通孔１３４を有している。
【００８０】
スペーサ１２０は、下ケース１３１に収容されて回路基板２０を支持する部材であって、図１４に示すように、枠部１２１と、基板保持部１２３とを備えている。
【００８１】
枠部１２１は、下周壁部１３３よりも一回り小さな長方形の枠状の部分であって、一対の下長壁部１３３Ａに対向する一対の長枠部１２１Ａと、一対の下短壁部１３３Ｂに対向する一対の短枠部１２１Ｂ、１２１Ｃとを備えている。各長枠部１２１Ａは、下長壁部１３３Ａの複数のねじ挿通孔１３４のそれぞれに対応する位置に、ねじ穴１２２を有している。
【００８２】
基板保持部１２３は、実施形態１における下ケース５１の基板保持部５４と同様の形状を有しており、詳細には図示しないが、内側に、回路基板２０を支持する上向きの段差面を有する段差部を備えている。この基板保持部１２３は、枠部１２１の上端縁において、一方の短枠部１２１Ｂの中央位置を除くほぼ全周にわたって設けられている。また、枠部１２１の内部において四隅には、詳細には図示しないが、ねじ穴を有し、回路基板２０を固定するためのねじ受け部が配置されている。回路基板２０は、基板保持部１２３の内部に収容され、段差面上に載置されて、ねじ受け部に対してねじ止めにより固定される。
【００８３】
枠部１２１が下ケース１３１の内部に収容され、基板保持部１２３が下周壁部１３３上に載せられる。上ケース６１は、下ケース１３１およびスペーサ１２０に上方から被せ付けられ、複数のねじＳｃのそれぞれが、対応するねじ挿通孔６５、１３４に挿通されてねじ穴１２２にねじ込まれることによって、上ケース６１、下ケース１３１とスペーサ１２０とが固定されている。
【００８４】
その他の詳細な構成は、実施形態１と同様であり、本変形例においても、実施形態１と同様の作用効果が奏される。
【００８５】
＜変形例２＞
変形例２を、図１５から図１６を参照しつつ説明する。本変形例の電気接続箱２００は、金属製のシールドケース５０の代わりに、合成樹脂製のケーシング２１０を備えている点で、実施形態１と異なる。合成樹脂製のケーシング２１０は、回路基板２０回りのシールドが必要でない場合に使用される。その他の構成は、実施形態と同様であるので、実施形態と同様の構成には同一の符号を付して説明を省略する。
【００８６】
ケーシング２１０は、コネクタ付き基板１０を内部に収容する下ケース２１１と、下ケース２１１に組み付けられる上ケース２２１とにより構成されている。
【００８７】
下ケース２１１は、図１６に示すように、上側に開口するトレイ状の部材であって、長方形の板状のケース底壁２１２と、ケース底壁２１２の周縁から上方に立ち上がる下周壁部２１３と、下周壁部２１３の上端縁に設けられる基板保持部５４と、下周壁部２１３から突出する一対のフランジ部５６および複数の係止突部２１４を備えている。
【００８８】
下周壁部２１３は、実施形態１と同様に、ケース底壁２１２の一対の長辺から立ち上がる一対の下長壁部２１３Ａと、ケース底壁２１２の一対の短辺から立ち上がる一対の下短壁部２１３Ｂ、２１３Ｃとで構成されている。基板保持部５４およびフランジ部５６の構成は、実施形態１と同様である。複数の係止突部２１４のそれぞれは、下周壁部２１３から外側に突出し、上ケース２２１を下ケース２１１に固定するための突起である。また、下ケース２１１の内部には、詳細には図示しないが、ねじ穴を有し、回路基板２０を固定するためのねじＳｃがねじつけられる複数のねじ受け部が配置されている。
【００８９】
上ケース２２１は、実施形態１と同様に、下ケース２１１の開口部を塞ぐ部材であって、ケース底壁２１２よりも一回り大きな長方形の板状のケース天壁２２２と、ケース天壁２２２の周縁から下方に垂直に延びる上周壁部２２３と、上周壁部２２３から延びる複数の固定片２２４とを備えている。
【００９０】
上周壁部２２３は、ケース天壁２２２の一対の長辺から延びる一対の上長壁部２２３Ａと、ケース天壁２２２の一対の短辺から延びる一対の上短壁部２２３Ｂ、２２３Ｃとで構成されている。一対の上短壁部２２３Ｂ、２２３Ｃのうち一方の上短壁部２２３Ｂは、実施形態１と同様に切欠き部６６を有している。
【００９１】
複数の固定片２２４のそれぞれは、上周壁部２２３の下端から延びる板片状の部分であって、下ケース２１１の複数の係止突部２１４のそれぞれと対応する位置に配置され、係止突部２１４を受け入れ可能な係止孔２２５を有している。
【００９２】
コネクタ付き基板１０は、実施形態１と同様に、基板保持部５４の内部に収容され、ねじ受け部に対してねじ止めにより固定される。上ケース２２１は、上周壁部２２３がフランジ部５６上に載るようにして、下ケース２１１に被せ付けられ、複数の固定片２２４のそれぞれの係止孔２２５に、複数の係止突部２１４のそれぞれが嵌まり込むことによって、下ケース２１１に固定されている。
【００９３】
その他の構成は、実施形態１と同様であり、本変形例においても、実施形態１と同様の作用効果が奏される。
【００９４】
＜実施形態２＞
実施形態２を、図１７から図２８を参照しつつ説明する。本実施形態において、実施形態１と同様の構成には同一の符号を付して説明を省略する。
【００９５】
電気接続箱３００は、図１７および図１８に示すように、コネクタ付き基板３１０と、コネクタ付き基板３１０に組み付けられるアタッチメント３３０（防水部材に該当）と、コネクタ付き基板３１０を内部に収容するシールドケース３５０（ケースに該当）とを備えている。
【００９６】
コネクタ付き基板３１０は、図１８に示すように、回路基板２０と、この回路基板２０に固定されるコネクタ３０と、回路基板２０に組み付けられるフレーム３２０とを備える。
【００９７】
回路基板２０は、実施形態１と同様の構成を備えている。コネクタ３０は、実施形態１と同様の構成を備えており、コネクタハウジング３１は、図２６に示すように、フード天壁３３Ｂからフード部３３の内部に突出するロック受部３７を備えている。
【００９８】
フレーム３２０は、図１８に示すように、フレーム本体３２１と、回路基板２０への取り付けのための複数の基板取付部３２２と、アタッチメント３３０の組み付けのための係止受部３２３と、シールドケース３５０への固定のための複数のケース取付片３２４とを備えている。
【００９９】
フレーム本体３２１は、図１８に示すように、回路基板２０よりも一回り小さな長方形の枠状をなしている。このフレーム本体３２１は、回路基板２０において実装面２１とは反対側の面に沿って配置されている。
【０１００】
複数の基板取付部３２２のそれぞれは、詳細には図示しないが、回路基板２０が有する一のフレーム係止孔に進入して孔縁に係合する基板係合片と、他のフレーム係止孔に圧入される圧入突起と備えている。
【０１０１】
係止受部３２３は、図１８および図２６に示すように、フレーム本体３２１から延びる板片状をなし、回路基板２０に平行に配される係止受片３２３Ａと、この係止受片３２３Ａから回路基板２０と反対方向（図２６の下方）に延びる第３係止爪３２３Ｂとを備えている。
【０１０２】
複数のケース取付片３２４のそれぞれは、フレーム本体３２１から外側に向かって延びている。
【０１０３】
アタッチメント３３０は、図１９および図２０に示すように、コネクタ保持壁３３２と、防水壁３３４と、立設壁３３６と、傾き防止壁３３８と、第３係止部３４１（係止部に該当）と、２つの第４係止部３４４とを備えている。
【０１０４】
コネクタ保持壁３３２は、厚みのある矩形の板状の部分であって、図１９に示すように、板厚方向に貫通し、コネクタ３０のフード部３３を内部に挿通可能な貫通孔（コネクタ保持孔３３３）を有している。
【０１０５】
防水壁３３４は、図１９に示すように、コネクタ保持壁３３２の周縁から垂直に延びるＵ字状の壁であって、図１９、図２１および図２２に示すように、コネクタ保持壁３３２の上縁から延びる防水上壁３３４Ａと、コネクタ保持壁３３２の２つの側縁のそれぞれから延びる２つの防水側壁３３４Ｂとで構成されている。２つの防水側壁３３４Ｂは、それぞれ、図１９に示すように、コネクタ保持壁３３２よりも下方（防水上壁３３４Ａから離れる方向）に長く延びている。また、２つの防水側壁３３４Ｂは、防水上壁３３４Ａから離れるほど互いに相手側の防水側壁３３４Ｂから離れるように傾いている。防水壁３３４は、図１９に示すように、コネクタ保持壁３３２と反対側に、相手コネクタ３７０を挿入可能な開口部（挿入口３３４Ｃ）を有しており、相手コネクタ３７０が、挿入孔３３４Ｃから防水壁３３４の内部に進入可能となっている。
【０１０６】
防水上壁３３４Ａは、図１９および図２１に示すように、解除凹部３３５を有している。解除凹部３３５は、挿入口３３４Ｃの開口縁からコネクタ保持壁３３２に向かって凹む凹部であって、２つの防水側壁３３４Ｂ間の中央位置に配置されている。
【０１０７】
立設壁３３６は、図１９に示すように、挿入口３３４Ｃの開口縁、および解除凹部３３５の内縁から、防水壁３３４に対して垂直に、外側に向かって延びる壁である。立設壁３３６は、防水壁３３４の全長にわたって配置されている。
【０１０８】
傾き防止壁３３８は、図１９に示すように、コネクタ保持壁３３２から下方に向かって延びる壁であって、コネクタ保持壁３３２の下面において全幅にわたって配置されており、防水側壁３３４Ｂに接続されている。
【０１０９】
コネクタ保持壁３３２と防水壁３３４と立設壁３３６とが、水がシールドケース３５０およびコネクタ３０の内部に進入することを防ぐための防水部３３１を構成している。コネクタ保持壁３３２の下方、すなわち、２つの防水側壁３３４Ｂと傾き防止壁３３８とで囲まれた空間は、図１９に示すように、コネクタ３０または相手コネクタ３７０を覆う壁部が配置されない逃がし部３４２（非遮蔽部分に該当）となっている。この逃がし部３４２は、コネクタ３０に相手コネクタ３７０を嵌合させる際に、作業者の手指を逃がすための空間である。
【０１１０】
防水部３３１は、図２１および図２２に示すように、防水壁３３４の外周面のうち上面（防水上面３３１Ａ）および一対の側面（防水側面３３１Ｂ）に、嵌合溝３３７を有している。嵌合溝３３７のうち、防水上面３３１Ａに配置された部分は上溝部３３７Ａであり、２つの防水側面３３１Ｂのそれぞれに配置された部分は側溝部３３７Ｂである。各側溝部３３７Ｂの下端は、図２２に示すように、各防水側面３３１Ｂの下端付近に至っている。
【０１１１】
第３係止部３４１は、図２０に示すように、傾き防止壁３３８から、防水壁３３４とは反対方向に延びる角筒状の部分であって、内部に係止受部３２３を受け入れ可能となっている。この第３係止部３４１は、係止受部３２３に平行な第１平行壁３４１Ａと第２平行壁３４１Ｂとを備えている。第１平行壁３４１Ａは、延出端から傾き防止壁３３８に向かって延びる２本のスリットＳＬ２を備えており、２本のスリットＳＬ２の間の部分が、コネクタ保持壁３３２に接続している部分を基端として撓み可能な第３撓み片３４３となっている。第３撓み片３４３は、第３係止爪３２３Ｂを受け入れ可能な係止孔３４３Ａを有している。
【０１１２】
２つの第４係止部３４４のそれぞれは、図２０および図２２に示すように、Ｌ字状をなしており、傾き防止壁３３８から垂直に延びる基壁３４４Ａと、基壁３４４Ａの延出端から延び、傾き防止壁３３８に対して平行な挟み壁３４４Ｂとを備えている。傾き防止壁３３８と挟み壁３４４Ｂとの間には、隙間がある。
【０１１３】
シールドケース３５０は、金属製であって、図１７に示すように、下ケース３５１と、下ケース３５１に組み付けられる上ケース３６１とにより構成されている。
【０１１４】
下ケース３５１は、ダイキャストにより製造され、上側に開口するトレイ状の部材であって、図２３に示すように、長方形の板状のケース底壁３５２と、ケース底壁３５２の周縁から上方に立ち上がる下周壁部３５３と、下周壁部３５３から突出する支持壁３５４およびフランジ部３５５と、フランジ部３５５から延びる複数の台座部３５６、複数の第１ボス部３５７および第２ボス部３５８とを備えている。
【０１１５】
下周壁部３５３は、図２３に示すように、ケース底壁３５２の一対の長辺から立ち上がる一対の下長壁部３５３Ａと、ケース底壁３５２の一対の短辺から立ち上がる一対の下短壁部３５３Ｂ、３５３Ｃとで構成されており、内部にフレーム３２０を収容可能となっている。
【０１１６】
支持壁３５４は、図２６に示すように、一方の下短壁部３５３Ｂから外側に突出する横壁部３５４Ａと、横壁部３５４Ａの突出端から下方に延びる縦壁部３５４Ｂとを備えるとともに、図２３および図２４に示すように、下短壁部３５３Ｂのほぼ全幅にわたって延びている。支持壁３５４は、２か所に、ケース底壁３５２に向かって凸となるＵ字状の受け凹部３５４Ｃを備えている。
【０１１７】
フランジ部３５５は、図２３および図２４に示すように、一対の下長壁部３５３Ａおよび他方の下短壁部３５３Ｃから外側に突出する鍔状の部分である。
【０１１８】
台座部３５６は、上ケース３６１をねじ止めするためのねじがねじ付けられる部分であって、図２３および図２４に示すように、各下長壁部３５３Ａに沿って、フランジ部３５５の下方に３つずつが配置されている。第１ボス部３５７は、回路基板２０をねじ止めするための円柱状の突部であって、図２３に示すように、４つが下周壁部３５３を囲んで配置されている。第２ボス部３５８は、フレーム３２０をねじ止めするための円柱状の突部であって、図２３に示すように、２つの下長壁部３５３Ａのそれぞれの外側に１つずつが配置されている。台座部３５６、第１ボス部３５７、第２ボス部３５８は、それぞれ、ねじ穴を有している。
【０１１９】
上ケース３６１は、図１７および図１８に示すように、下ケース３５１の開口部を塞ぐ部材である。上ケース３６１の構成は、固定片６４の数等の細部を除き、実施形態１と同様であるので、同様の構成には同一の符号を付して説明を省略する。
【０１２０】
電気接続箱３００を製造する手順の一例を以下に説明する。
【０１２１】
まず、実施形態１と同様にして、コネクタ３０が回路基板２０に固定される。
【０１２２】
次に、回路基板２０にフレーム３２０が組み付けられる。フレーム３２０が、回路基板２０の実装面２１とは反対側の面に沿うように配置され、基板係合片が対応するフレーム係止孔に進入して孔縁に係合する。また、圧入突起が対応するフレーム係止孔に圧入される。このようにして、回路基板２０とフレーム３２０との組み付けが完了し、コネクタ付き基板３１０が得られる。
【０１２３】
次に、コネクタ付き基板３１０にアタッチメント３３０が組み付けられる。フード部３３の先端部がコネクタ保持孔３３３に挿入される（図２６参照）。これとともに、第３係止部３４１の内部に係止受部３２３が挿入される（図２６参照）。第３撓み片３４３が第３係止爪３２３Ｂに乗り上げて外側に撓み、第３係止爪３２３Ｂが係止孔３４３Ａに入り込むと第３撓み片３４３が弾性復帰して、第３係止爪３２３Ｂが係止孔３４３Ａの孔縁に係止される。このようにして、コネクタ付き基板３１０へのアタッチメント３３０の組み付けが完了する。
【０１２４】
アタッチメント３３０は、コネクタ３０ではなく、フレーム３２０が備える第３撓み片３４３に係合されているから、アタッチメントがコネクタと係合している場合と比較して、アタッチメント３３０を組み付けることによるコネクタ３０への応力が軽減され、コネクタ３０と回路基板２０との接合部分が剥がれてしまうことが回避される。アタッチメント３３０がコネクタ付き基板３１０に組み付けられた状態では、解除凹部３３５を有する防水上壁３３４Ａが、コネクタ３０に対してロック受部３７と同じ側（図２６の上側）に配置されている。
【０１２５】
次に、アタッチメント３３０組み付け後のコネクタ付き基板３１０に、下ケース３５１が組み付けられる。フレーム３２０が下ケース３５１の内部に収容され、回路基板２０が４つの第１ボス部３５７上に載置され、各基板取付部３２２が対応する第２ボス部３５８上に載置される。この状態で、回路基板２０が第１ボス部３５７にねじ止めにより固定され、基板取付部３２２が第２ボス部３５８にねじ止めにより固定される。このようにして、コネクタ付き基板３１０への下ケース３５１の組み付けが完了する。
【０１２６】
コネクタ付き基板３１０への下ケース３５１に組み付けられた状態では、傾き防止壁３３８と２つの防水側壁３３４Ｂのそれぞれの下端部とで構成される角部のそれぞれが、２つの受け凹部３５４Ｃの内部に収まる（図２５参照）。また、挟み壁３４４Ｂと傾き防止壁３３８との間には、下短壁部３５３Ｂの厚さ分の隙間があり、この隙間に、下短壁部３５３Ｂにおいて支持壁３５４よりも上側の部分が挿入される（図２７参照）。傾き防止壁３３８は、下短壁部３５３Ｂの外面に沿って配置されており、挟み壁３４４Ｂが、下短壁部３５３Ｂの内面に沿って配置されている。アタッチメント３３０が自重により回路基板２０にして傾こうとすると、傾き防止壁３３８と挟み壁３４４Ｂとが下短壁部３５３Ｂに当接することにより、傾きが規制される。これにより、アタッチメント３３０がコネクタ３０ごと傾き、コネクタ３０が回路基板２０から剥がれてしまうことが、確実に回避される。
【０１２７】
次に、上ケース３６１が下ケース３５１に組み付られける。上ケース３６１が、下ケース３５１に上方から被せ付けられる（図２５参照）。下周壁部３５３の上端部（フランジ部３５５より上の部分）と、下ケース３５１に保持されている回路基板２０とが、上ケース３６１の内部に収容される。また、実施形態１と同様に、上ケース３６１において、切欠き部６６の切り欠き縁（奥縁６６Ａ、側縁６６Ｂ）の周辺部分が、嵌合溝３３７の内部に嵌まり込む（図２６参照）。この状態で、各固定片６４が、対応する台座部３５６にねじ止めにより固定される。このようにして、上ケース３６１の下ケース３５１への組み付けが完了する。
【０１２８】
実施形態１と同様に、下ケース３５１と上ケース３６１とが固定された状態では、奥縁６６Ａ、側縁６６Ｂと、下周壁部３５３の上端縁とで規定される開口部が、コネクタ口６７となっており、このコネクタ口６７から、防水部３３１（コネクタ保持壁３３２、防水壁３３４、および立設壁３３６）が外方に突出するとともに、フード部３３が臨んでいる（図２６および図２７参照）。
【０１２９】
コネクタ３０と嵌合される相手コネクタ３７０は、図２８に示すように、相手ハウジング３７１と、この相手ハウジング３７１の上面に配置されたロックアーム３７２（ロック部に該当）とを備えている。ロックアーム３７２は、相手ハウジング３７１の上面から上方へ立ち上がる脚部３７２Ａと、この脚部３７２Ａの上端から片持ち状に延出する板状のアーム本体３７２Ｂと、アーム本体３７２Ｂの延出端から延びる解除操作部３７２Ｃとを備えている。アーム本体３７２Ｂの上面には、上側に突出し、コネクタハウジング３１のロック受部３７と係合するロック突起３７２Ｄが配置されている。ロックアーム３７２は、脚部３７２Ａを支点として、相手ハウジング３７１に対して接近又は離間する方向へ弾性撓みすることが可能となっている。
【０１３０】
コネクタ３０と相手コネクタ３７０とが嵌合する際には、相手コネクタ３７０が防水壁３３４の内部に進入して、フード部３３の内部に進入する。相手コネクタ３７０がフード部３３内に押し込まれていくと、ロック突起３７２Ｄがロック受部３７と干渉して、相手ハウジング３７１に近づく方向に撓む。そして、正規嵌合位置まで相手コネクタ３７０が押し込まれると、ロック突起３７２Ｄがロック受部３７を乗り越えてロックアーム３７２が弾性復帰し、ロック突起３７２Ｄがロック受部３７に係合する。これにより、相手コネクタ３７０がコネクタ３０に対して抜け止め状態に保持される。
【０１３１】
コネクタ３０と相手コネクタ３７０とが嵌合された状態では、防水壁３３４が、相手コネクタ３７０の上方および両側方を覆っているため、上方や側方からの水がコネクタ３０と相手コネクタ３７０との嵌合部分から内部に入り込むことを回避できる。
【０１３２】
また、防水壁３３４から立設壁３３６が延びているので、防水壁３３４に付着した水が、挿入口３３４Ｃ側から防水壁３３４の内部に進入してコネクタ３０と相手コネクタ３７０との嵌合部分から内部に入り込むことを回避できる。
【０１３３】
相手コネクタ３７０がコネクタ３０から離脱される際には、解除操作部３７２Ｃが相手ハウジング３７１に近づく方向に押し操作される。ここで、図２８に示すように、コネクタ３０と相手コネクタ３７０とが嵌合された状態では、ロックアーム３７２が、相手ハウジング３７１において防水上壁３３４Ａと対向する面に配置されており、解除操作部３７２Ｃの先端部が、解除凹部３３５から外部に露出されている。このように、解除操作部３７２Ｃの先端部が防水壁３３４によって覆われていないので、作業者が解除凹部３３５の内部に手指を入れ、解除操作部３７２Ｃの押し操作を容易に行うことができる。押し操作により、ロックアーム３７２が弾性撓みされ、ロック突起３７２Ｄのロック受部３７に対する係合が解除される。この状態で、相手コネクタ３７０がコネクタ３０からの離脱方向（図２８の右方向）に引っ張られることにより、相手コネクタ３７０がコネクタ３０から離脱される。
【０１３４】
また、アタッチメント３３０において、相手コネクタ３７０の下方の空間は、防水壁３３４が配置されない逃がし部３４２となっている。この逃がし部３４２が、相手コネクタ３７０のコネクタ３０に対する嵌合および離脱操作の際の手指の逃がしとなるため、嵌合および離脱操作を容易に行うことができる。
【０１３５】
本実施形態によれば、実施形態１と同様に、別体に形成されたアタッチメント３３０をコネクタ付き基板３１０に取り付けているので、防水構造を有する専用のコネクタを開発する必要がなく、安価かつ簡易に防水することができる。
【０１３６】
加えて、アタッチメント３３０が、傾き防止壁３３８に対して隙間を空けて配置される挟み壁３４４Ｂを備えており、下短壁部３５３Ｂが、この隙間に配置されている。
【０１３７】
このような構成によれば、傾き防止壁３３８と挟み壁３４４Ｂとによってアタッチメント３３０の傾きが規制されるから、アタッチメント３３０がコネクタ３０ごと傾き、コネクタ３０が回路基板２０から剥がれてしまうことが、確実に回避される。
【０１３８】
また、防水壁３３４が、相手コネクタ３７０が挿入される挿入口３３４Ｃを有しており、アタッチメント３３０が、挿入口３３４Ｃの開口縁から外側に向かって立ち上がる立設壁３３６を備えている。このような構成によれば、防水壁３３４に付着した水が、防水壁３３４の内部に進入して、コネクタ３０と相手コネクタ３７０との嵌合部分から内部に入り込むことを回避できる。
【０１３９】
また、コネクタ付き基板３１０が、回路基板２０に組み付けられるフレーム３２０を備えており、アタッチメント３３０が第３係止部３４１を備えており、フレーム３２０が、第３係止部３４１に係合する係止受部３２３を備えている。
【０１４０】
このような構成によれば、アタッチメント３３０がフレーム３２０に係合しているので、アタッチメントがコネクタと係合している場合と比較して、アタッチメント３３０が組み付けられることによるコネクタ３０への応力が軽減され、コネクタ３０と回路基板２０との接合部分が剥がれてしまうことが回避される。
【０１４１】
また、コネクタ３０が、相手コネクタ３７０に備えられるロックアーム３７２に係合可能なロック受部３７を備えており、防水壁３３４が、コネクタ３０に対してロック受部３７と同じ側に、コネクタ３０が相手コネクタ３７０に嵌合した状態でロックアーム３７２の少なくとも一部を外部に露出させる解除凹部３３５を備えている。
【０１４２】
このような構成によれば、コネクタ３０から相手コネクタ３７０を離脱させる際には、作業者が解除凹部３３５の内部に手指を入れ、ロックアーム３７２のロック受部３７に対する係合を解除する操作を容易に行うことができる。
【０１４３】
＜他の実施形態＞
本明細書によって開示される技術は上記記述及び図面によって説明した実施形態に限定されるものではなく、例えば次のような種々の態様も含まれる。
（１）「前記防水部材が、前記コネクタにおいて前記相手コネクタを向く嵌合面の周囲を覆う防水部を備えており」とは、実施形態１および２のように、嵌合面３３ＤＦが、防水部４１、３３１におけるコネクタ保持孔４３、３３３の内部に位置している（嵌合面３３ＤＦの周囲がコネクタ保持壁４２、３３２によって覆われている）場合を含むとともに、コネクタの一部が防水壁の内部に臨んでおり、嵌合面の周囲が防水壁によって覆われている場合を含む。後者の場合には、防水壁は、コネクタのうち防水壁の内部に配置されている部分と、相手コネクタとを覆う。
【０１４４】
（２）実施形態２では、立設壁３３６が防水壁３３４の全長にわたって配置されていたが、立設壁は、防水壁の少なくとも一部に配置されていれば、一定の効果が奏される。
【０１４５】
（３）実施形態２では、係止部が係止孔３４３Ａを有する第３撓み片３４３であり、係止受部３２３が係止受片３２３Ａと第３係止爪３２３Ｂとを備えていたが、防水部材とフレームとの係合構造は特に限定されず、例えば、係止部が係止爪を備え、係止受部が係止爪を受け入れる係止孔を備えていてもよく、係止部と係止受部とが互いに係合しあう係止爪を備えていても構わない。
【符号の説明】
【０１４６】
１、１００、２００、３００：電気接続箱
１０、１１０、３１０：コネクタ付き基板
２０：回路基板
２１：実装面
３０：コネクタ
３１：コネクタハウジング
３２：端子保持壁
３３：フード部
３３Ａ：フード底壁
３３Ｂ：フード天壁
３３Ｃ：フード側壁
３３Ｄ：嵌合口
３３ＤＦ：嵌合面
３４：装着凹部
３４Ａ：奥面
３４Ｂ：側面
３５：固定金具
３５Ａ：本体部
３５Ｂ：取付片
３６：端子金具
３６Ａ：タブ部
３６Ｂ：基板接続部
３７：ロック受部
４０、３３０：アタッチメント（防水部材）
４１、３３１：防水部
４１Ａ、３３１Ａ：防水上面（外面、上面）
４１Ｂ、３３１Ｂ：防水側面（外面、側面）
４２、３３２：コネクタ保持壁
４３、３３３：コネクタ保持孔
４４、３３４：防水壁
４４Ａ、３３４Ａ：防水上壁
４４Ｂ、３３４Ｂ：防水下壁
４４Ｃ：防水側壁
４４Ｄ、３３４Ｃ：挿入口
４５：逃がし凹部（非遮蔽部分）
４６、３３７：嵌合溝
４６Ａ、３３７Ａ：上溝部
４６Ｂ、３３７Ｂ：側溝部
４６Ｓ：溝側面
４６Ｕ：溝底面
４７、３３８：傾き防止壁
４８：第１係止部
４８Ａ：第１撓み片
４８Ｂ：第１係止爪
４９：第２係止部
４９Ａ：第２撓み片
４９Ｂ：第２係止爪
５０、１３０、３５０：シールドケース（ケース）
５１、１３１、２１１、３５１：下ケース
５２、１３２、２１２、３５２：ケース底壁
５３、１３３、２１３、３５３：下周壁部
５３Ａ、２１３Ａ、３５３Ａ：下長壁部
５３Ｂ、５３Ｃ、２１３Ｂ、２１３Ｃ、３５３Ｂ、３５３Ｃ：下短壁部（ケース側壁）
５４：基板保持部
５４Ａ：段差面
５５：ねじ受け部
５６、３５５：フランジ部
５７、３５６：台座部
５８：ねじ穴
６１、２２１、３６１：上ケース
６２、２２２：ケース天壁
６３、２２３：上周壁部
６３Ａ、２２３Ａ：上長壁部
６３Ｂ、６３Ｃ、２２３Ｂ、２２３Ｃ：上短壁部（ケース側壁）
６４、２２４：固定片
６５：ねじ挿通孔
６６：切欠き部
６６Ａ：奥縁
６６Ｂ：側縁
６７：コネクタ口（開口部）
１２０：スペーサ
１２１：枠部
１２１Ａ：長枠部
１２１Ｂ、１２１Ｃ：短枠部
１２２：ねじ穴
１２３：基板保持部
２１０：ケーシング（ケース）
２１４：係止突部
２２５：係止孔
３２０：フレーム
３２１：フレーム本体
３２２：基板取付部
３２３：係止受部
３２３Ａ：係止受片
３２３Ｂ：第３係止爪
３２４：ケース取付片
３３５：解除凹部
３３６：立設壁
３４１：第３係止部（係止部）
３４１Ａ：第１平行壁
３４１Ｂ：第２平行壁
３４２：逃がし部
３４３：第３撓み片
３４３Ａ：係止孔
３４４：第４係止部
３４４Ａ：基壁
３４４Ｂ：挟み壁
３５４：支持壁
３５４Ａ：横壁部
３５４Ｂ：縦壁部
３５４Ｃ：受け凹部
３５７：第１ボス部
３５８：第２ボス部
３７０：相手コネクタ
３７１：相手ハウジング
３７２：ロックアーム（ロック部）
３７２Ａ：脚部
３７２Ｂ：アーム本体
３７２Ｃ：解除操作部
３７２Ｄ：ロック突起
Ｃ：相手コネクタ
ＳＬ１：スリット
ＳＬ２：スリット
Ｓｃ：ねじ
【図１】
2019244511.tif 000003
【図２】
2019244511.tif 000004
【図３】
2019244511.tif 000005
【図４】
2019244511.tif 000006
【図５】
2019244511.tif 000007
【図６】
2019244511.tif 000008
【図７】
2019244511.tif 000009
【図８】
2019244511.tif 000010
【図９】
2019244511.tif 000011
【図１０】
2019244511.tif 000012
【図１１】
2019244511.tif 000013
【図１２】
2019244511.tif 000014
【図１３】
2019244511.tif 000015
【図１４】
2019244511.tif 000016
【図１５】
2019244511.tif 000017
【図１６】
2019244511.tif 000018
【図１７】
2019244511.tif 000019
【図１８】
2019244511.tif 000020
【図１９】
2019244511.tif 000021
【図２０】
2019244511.tif 000022
【図２１】
2019244511.tif 000023
【図２２】
2019244511.tif 000024
【図２３】
2019244511.tif 000025
【図２４】
2019244511.tif 000026
【図２５】
2019244511.tif 000027
【図２６】
2019244511.tif 000028
【図２７】
2019244511.tif 000029
【図２８】
2019244511.tif 000030
【国際調査報告】
2019244511.tif 000031
2019244511.tif 000032